(57)【要約】【課題】高い通気性とボリューム感を備えた衣類用パッドを提供する。【解決手段】肌側にダブルラッセル生地、該ダブルラッセル生地の外側に不織布を積層しており、前記ダブルラッセル生地は、肌側の地組織と、前記不織布側の地組織と、前記両地組織を連結する連結糸を備え、前記連結糸は前記両方の地組織に対して、垂直方向の第１種連結糸と、傾斜方向の第２種連結糸とからなり、１本以上の第１種連結糸を挟む両側の第２種連結糸は互いに逆方向へ傾斜させ、該両側第２種連結糸と、その間の前記肌側の地組織および不織布側の地組織とで側面視台形を呈するように形成している。【選択図】図１
2010111955.tif 000002
【特許請求の範囲】
【請求項１】
肌側にダブルラッセル生地、該ダブルラッセル生地の外側に不織布を積層しており、
前記ダブルラッセル生地は、肌側の地組織と、前記不織布側の地組織と、前記両地組織を連結する連結糸を備え、
前記連結糸は前記両方の地組織に対して、垂直方向の第１種連結糸と、傾斜方向の第２種連結糸とからなり、１本以上の第１種連結糸を挟む両側の第２種連結糸は互いに逆方向へ傾斜させ、該両側第２種連結糸と、その間の前記肌側の地組織および不織布側の地組織とで側面視台形を呈するように形成していることを特徴とする衣類用パッド。
【請求項２】
前記肌側の地組織に複数の開口部を設け、該開口部の外周に前記第２種連結糸を配置し、該第２種連結糸は前記開口の内部に向けて傾斜させて前記不織布側の地組織に連結し、前記開口部を不織布側に向けて縮径させ、
隣接する前記開口部の外周の前記第２種連結糸と、隣接する開口部の間の前記両方の地組織とで、側面視台形状になるようにしている請求項１に記載の衣類用パッド。
【請求項３】
前記連結糸は１１デシテックス以下のフィラメントを用いたマルチフィラメントである請求項１または請求項２に記載の衣類用パッド。
【請求項４】
前記ダブルラッセル生地と不織布、前記不織布の外面に更に外側生地を積層した積層体とし、該積層体の外周縁を圧縮すると共に当て布でくるんで縫着している請求項１乃至請求項３のいずれか１項に記載の衣類用パッド。
【請求項５】
ブラジャーのカップ布の内面に設けたパッド挿入部に着脱自在に挿入され、挿入状態で前記カップ布の内面に前記外側の不織布または外側生地を接触させる形状としている請求項１乃至請求項４のいずれか１項に記載の衣類用パッド。
【発明の詳細な説明】
【技術分野】
【０００１】
本発明は、衣類用パッドに関するものであり、特に、ボリュームを持続できるようにしているものである。
【背景技術】
【０００２】
従来、衣類用パッドはブラジャーなどさまざまな衣類に取り付けており、該衣類用パッドとして種々の提案がなされている。例えば、特開平１０−１８１０５号公報（特許文献１）には、図７のように、外側層をポリウレタンフォーム２から形成し、肌側の内側層を不織布３から形成した二層一体構造のバスト部用パッド１を備えた衣服が提案されている。
前記構成のパッド１は、外側層に通気性の悪いポリウレタンフォーム２を用いているため、パッド１全体の通気性も不十分で、発汗による蒸れが生じやすいという問題がある。
【０００３】
そこで、通気性に優れたパッドとして、特開２０００−２２６７０４号公報（特許文献２）には、図８のように、表面編目層５と裏面編目層６との間を連結糸７で立体的に連結した二重編目層構造の編物（ダブルラッセル生地）８から表層部を形成し、不織布９で内層部を形成したブラジャー用のパッド４が提案されている。
【０００４】
しかし、前記二重編目層構造の編物８であるダブルラッセル生地は、図９（Ａ）のように、表裏の地組織（表面編目層、裏面編目層）５、６に対して連結糸７がすべて垂直方向に配置されているため、パッドとして使用されて表裏の地組織５、６に荷重がかかると、図９（Ｂ）のように、表裏の地組織５、６が左右にずれて連結糸７全体が斜め方向に傾き、表裏の地組織の間隔が減少するという問題がある。即ち、ダブルラッセル生地８の厚みが減少し、パッド４に求められるボリューム感を出すことができないという問題がある。
【０００５】
【特許文献１】特開平１０−１８１０５号公報
【特許文献２】特開２０００−２２６７０４号公報
【発明の開示】
【発明が解決しようとする課題】
【０００６】
本発明は前記問題に鑑みてなされたものであり、高い通気性とボリューム感を備えた衣類用パッドを提供することを課題としている。
【課題を解決するための手段】
【０００７】
前記課題を解決するため、本発明は、肌側にダブルラッセル生地、該ダブルラッセル生地の外側に不織布を積層しており、
前記ダブルラッセル生地は、肌側の地組織と、前記不織布側の地組織と、前記両地組織を連結する連結糸を備え、
前記連結糸は前記両方の地組織に対して、垂直方向の第１種連結糸と、傾斜方向の第２種連結糸とからなり、１本以上の第１種連結糸を挟む両側の第２種連結糸は互いに逆方向へ傾斜させ、該両側第２種連結糸と、その間の前記肌側の地組織および不織布側の地組織とで側面視台形を呈するように形成していることを特徴とする衣類用パッドを提供している。
【０００８】
前記のように、衣類用パッドを形成するダブルラッセル生地の肌側の地組織と不織布側の地組織を連結する連結糸を、両方の地組織に対して垂直方向の第１種連結糸と傾斜方向の第２種連結糸とから構成し、前記第１種連結糸を挟む第２種連結糸を互いに逆方向へ傾斜させて、両側第２種連結糸とその間の前記両地組織とで側面視台形を呈するようにしている。したがって、前記両地組織に荷重がかかっても、互いに逆方向へ傾斜させた両側の第２種連結糸が前記両地組織を支える役割を果たすため、前記地組織が左右にずれて生地の厚みが減少するのを防止できる。よって、衣類用パッドに必要なボリューム感を保持させることができる。
【０００９】
また、前記ダブルラッセル生地は、前記垂直方向の第１種連結糸を挟んで逆方向に傾斜させた第２種連結糸を配置しているため、従来の垂直方向の連結糸のみの構造に比べて連結糸の密度を下げて、軽量かつ通気性の高いダブルラッセル生地とすることができる。したがって、通気性のよいダブルラッセル生地と不織布とで、衣類用パッド全体の通気性を大幅に高めることができる。
【００１０】
さらに、前記のように、肌側のダブルラッセル生地の外側に不織布を積層することにより、さらに厚みを増やすと共に、衣類とパッドとの間に生じやすい隙間をなくし、衣類に対してパッドを安定させることができる。
【００１１】
前記ダブルラッセル生地では、肌側の地組織に複数の開口部を設け、該開口部の外周に前記第２種連結糸を配置し、該第２種連結糸は前記開口の内部に向けて傾斜させて前記不織布側の地組織に連結し、前記開口部を不織布側に向けて縮径させ、
隣接する前記開口部の外周の前記第２種連結糸と、隣接する開口部の間の前記両方の地組織とで、側面視台形状になるようにしていることが好ましい。
【００１２】
前記のように、ダブルラッセル生地では、肌側の地組織に複数の開口部を設けると、外面側には曲がりにくいが、肌側には曲がり易くなる。よって、ブラジャー用パッドとした場合には、パッドが乳房に沿い易くなる。さらに、肌側に開口部を設けると、ダブルラッセル生地の通気性をさらに高めることができ、肌側に生じやすい蒸れを効果的に抑制することができる。
この際、前記のように、肌側の地組織に設ける開口部を不織布側に向けて縮径させることにより、前記開口部の外周に配置した第２種連結糸は開口部の内部に向けて傾斜する。よって、隣接する開口部の外周に配置した第２種連結糸は互いに逆方向へ傾斜し、前記逆方向に傾斜した第２種連結糸とその間の両方の地組織とで側面視台形を形成してボリューム感を持たせることができる。
【００１３】
前記側面視台形状における第２種連結糸と不織布側の地組織となす角度は、４０〜８０度とすることが好ましく、５０〜７０度とすることが特に好ましい。
また、肌側の地組織の開口率［（開口部の総面積／肌側の地組織の総面積）×１００］としては、２０〜３５％とすることが好ましい。
【００１４】
前記連結糸は１１デシテックス以下のフィラメントを用いたマルチフィラメントであることが好ましい。
【００１５】
前記のように、連結糸を１１デシテックス以下のフィラメントを用いたマルチフィラメントとすることにより糸質が柔らかくなり、地組織の外側に連結糸が飛び出して肌に刺激を与えることも防止される。なお、地組織間の連結構造が前記側面視台形状となるようなダブルラッセル生地では、モノフィラメントより柔らかい前記マルチフィラメントを連結糸に用いても、厚みを十分に保持することができる。
フィラメントの繊度は、９〜１１デシテックスとすることが特に好ましく、マルチフィラメントのフィラメント数は１１〜１３とすることが好ましい。
【００１６】
前記ダブルラッセル生地と不織布、前記不織布の外面に更に外側生地を積層した積層体とし、該積層体の外周縁を圧縮すると共に当て布でくるんで縫着していることが好ましい。
【００１７】
前記のように、不織布の外面に外側生地を積層することにより、パッドの外形を整えることができる。
パッドの外周縁を圧縮することによりパッド形状に成型し、前記圧縮したパッドの外周縁に沿って裁断するが、ダブルラッセル生地を裁断すると切断部から連結糸がほつれ出て、連結糸の先端が肌を刺激する場合がある。そこで、前記のように、圧縮した外周縁を当て布でくるんで縫着することにより、連結糸の先端がパッド本体から突出するのを防止できる。当て布としては、マーキゼットを用いることが好ましい。
【００１８】
本発明のパッドは、ブラジャーのカップ布の内面に設けたパッド挿入部に着脱自在に挿入され、挿入状態で前記カップ布の内面に前記不織布または外側生地を接触させる形状としていることが好ましい。
【００１９】
本発明のパッドは高い通気性、ボリューム感を有しているため、前記のようにブラジャーのパッド挿入部に前記構成のパッドを着脱自在に挿入可能とすることで、快適な着用感と、高い補整効果を得ることができる。即ち、発汗による蒸れなどを感じさせることなく、豊かなバストラインを形成することができる。
【発明の効果】
【００２０】
前述したように、本発明によれば、衣類用パッドを形成するダブルラッセル生地の肌側の地組織と不織布側の地組織を垂直方向に連結する第１種連結糸を挟んで第２種連結糸を互いに逆方向へ傾斜させ、該両側の第２種連結糸とその間の前記両地組織とで側面視台形を呈する構成としているため、前記両地組織に荷重がかかっても、互いに逆方向へ傾斜させた両側の第２種連結糸が前記両地組織を支え、前記地組織が左右にずれて生地の厚みを減少させるのを防止できる。よって、衣類用パッドに必要なボリューム感を保持させることができる。
【００２１】
また、前記ダブルラッセル生地は、前記垂直方向の第１種連結糸を挟んで逆方向に傾斜させる第２種連結糸を配置しているため、従来の垂直方向の連結糸のみの構造に比べて連結糸の密度を下げて、軽量かつ通気性の高いダブルラッセル生地とすることができる。したがって、通気性のよいダブルラッセル生地と不織布とで、衣類用パッド全体の通気性を大幅に高めることができる。
さらに、前記のように、肌側のダブルラッセル生地の外側に不織布を積層することにより、厚みをさらに増加させると共に、衣類とパッドとの間に生じやすい隙間をなくし、衣類に対してパッドを安定させることができる。
【００２２】
また、前記のように、肌側の地組織に複数の開口部を設け、開口部の外周に前記第２種連結糸を配置する構造とすることにより、開口部が存在する肌側が曲がりやすくなり、パッドを乳房の膨らみに沿わせやすくなると共に、通気性をさらに高めることができ、肌側に生じやすい蒸れを効果的に抑制することができる。この際、前記のように、肌側の地組織に設ける開口部を不織布側に向けて縮径させることにより、前記開口部の外周に配置した第２種連結糸は開口部の内部に向けて傾斜するため、隣接する開口部の外周に配置した第２種連結糸は互いに逆方向へ傾斜し、前記逆方向に傾斜した第２種連結糸とその間の両方の地組織とで側面視台形を形成してボリューム感を持たせることができる。
【発明を実施するための最良の形態】
【００２３】
以下、本発明の実施形態を図面を参照して説明する。
図１乃至図６は本実施形態を示している。図１に示すパッド１０はブラジャー用パッドであり、肌側にダブルラッセル生地１１、該ダブルラッセル生地１１の外側に不織布１７を積層し、さらに不織布１７の外面に外側生地１８を積層することにより、パッド１０を形成している。
【００２４】
ダブルラッセル生地１１は、図２に示すように、肌側の地組織１２と、不織布側の地組織１３と、前記両地組織１２、１３を連結する連結糸１４、１５とからなり、連結糸１４、１５は、垂直方向の第１種連結糸１４と、傾斜方向の第２種連結糸１５とからなる。
肌側の地組織１２には、複数の開口部１６をメッシュ状に設けており、肌側の地組織１２の開口部１６を不織布側に向けて縮径させている。本実施形態においては、肌側の地組織の開口率［（開口部の総面積／肌側の地組織の総面積）×１００］を約２６％としている。
【００２５】
肌側の地組織１２の開口部１６の外周に第２種連結糸１５を配置し、該第２種連結糸１５を開口部１６の内部に向けて傾斜させて不織布側の地組織１３に連結させている［図２（Ｂ）］。これにより、図２（Ｃ）に示すように、隣接する開口部１６Ａ、１６Ｂの外周にそれぞれ配置した第２種連結糸１５Ａ、１５Ｂは互いに逆方向へ傾斜し、該第２種連結糸１５Ａ、１５Ｂが、隣接する開口部（１６Ａ、１６Ｂ）間の地組織１２、１３を連結する１本以上の第１種連結糸１４を両側から挟んでいる。即ち、前記第２種連結糸１５Ａ、１５Ｂと、隣接する開口部（１６Ａ、１６Ｂ）間の地組織１２、１３とで側面視台形状となるようにしている。なお、本実施形態では、前記側面視台形状における第２種連結糸１５Ａ、１５Ｂと不織布側の地組織１３となす角度θを約５４度としている。
【００２６】
本実施形態におけるダブルラッセル生地１１は、肌側の地組織１２および不織布側の地組織１３を、ポリエステル１００％のマルチフィラメント糸（繊度１１０デシテックス、フィラメント数４８）を用いてメッシュ編みで編成している。また、前記地組織１２、１３を連結する第１種連結糸１４、第２種連結糸１５としては、ポリエステル１００％のマルチフィラメント糸（繊度１１０デシテックス、フィラメント数１２）を用い、ダブルラッセル生地１１の目付量を６００ｇ／ｍ２としている。
【００２７】
ダブルラッセル生地１１に積層する不織布１７は、合成繊維製の厚手の不織布を用いることができ、本実施形態では、ポリエステル１００％の不織布（目付量１０７ｇ／ｍ２を用いている。
また、不織布１７の外面に積層する外側生地１８として、本実施形態ではポリエステル１００％のウーリー糸（繊度８３デシテックス、フィラメント数３６）を用いて天竺編みで編成している。
【００２８】
次に、パッド１０の形成方法について説明する。
まず、ダブルラッセル生地１１の外側に不織布１７を積層し、不織布１７の外面に伸縮性生地１８を積層する。ダブルラッセル生地１１と不織布１７、不織布１７と伸縮性生地１８とをそれぞれドット状に塗布した接着剤１９で接着して、ダブルラッセル生地１１、不織布１７および伸縮性生地１８が一体化した積層体２０を作製する(図３、図４）。
本実施形態においては、直径約０．９４ｍｍの円形状にウレタン系接着剤を塗布し、前記各生地１１、１８と不織布１７との接触総面積に対する接着剤塗布総面積の割合が７０％程度となるようにしている。
なお、接着剤は、次工程で圧縮成型を行うための仮止めとして行うものであり、使用後の洗濯時等で次第に無くなり、接着剤による通気性低下を発生させない。かつ、接着剤が存在する新品時にも、通気性を低下させないように、ベタ塗りせず、前記のようにドット状に塗布している。
【００２９】
続いて、前記積層体２０をパッド形状に成型する。成型は、パッドの外周縁１０ａを熱圧縮することにより行う（図５）。
圧縮したパッドの外周縁１０ａに沿って裁断し、外周縁１０ａをマーキゼットからなる当て布２１でくるんでオーバーロック縫着することにより、重量４ｇ、最大厚さ１２ｍｍの本実施形態のパッド１０が完成する（図１）。
【００３０】
前記パッド１０は、図６に示すブラジャー３０のカップ布３１の内面に設けたパッド挿入部３２に着脱自在に挿入でき、挿入状態で、パッド１０の伸縮性生地１８をブラジャー３０のカップ布３１の内面に接触させている。
【００３１】
前記のように、パッド１０を形成するダブルラッセル生地１１の肌側の地組織１２と不織布側の地組織１３を垂直方向に連結する第１種連結糸１４を挟んで第２種連結糸１５Ａ、１５Ｂを互いに逆方向へ傾斜させ、該両側の第２種連結糸１５Ａ、１５Ｂとその間の前記両地組織１２、１３とで側面視台形を呈する構成としているため、前記両地組織１２、１３に荷重がかかっても、互いに逆方向へ傾斜させた両側の第２種連結糸１５Ａ、１５Ｂが前記両地組織１２、１３を支え、前記地組織１２、１３が左右にずれて生地の厚みを減少させるのを防止できる。よって、パッド１０に必要なボリューム感を保持させることができる。
【００３２】
また、ダブルラッセル生地１１は、垂直方向の第１種連結糸１４を挟んで逆方向に傾斜させる第２種連結糸１５Ａ、１５Ｂを配置しているため、従来の垂直方向の連結糸のみの構造に比べて連結糸の密度を下げて、軽量かつ通気性の高いダブルラッセル生地１１とすることができる。したがって、通気性のよいダブルラッセル生地１１と不織布１７とで、パッド１０全体の通気性を大幅に高めることができる。
さらに、前記のように、肌側のダブルラッセル生地１１の外側に不織布１７を積層することにより、厚みをさらに増加させると共に、ブラジャー３０のカップ布３１とパッド１０との間に生じやすい隙間をなくし、カップ布３１に対してパッド１０を安定させることができる。
【００３３】
一般的な不織布のみからなるパッドは洗濯耐久性が悪く、初期にボリュームがあっても、使用時に洗濯を繰り返すと、ボリュームは次第に低下してくる問題がある。また、不織布を用いずダブルラッセルを２枚等の複数枚を積層して不織布を用いたパッドと同一のボリュームを持たせると、パッドのボリューム低下を防止できるがパッドが硬くなり、フィット性がわるくなる問題がある。
これに対して、本発明のパッドは１枚のダブルラッセル生地と不織布とを組み合わせて積層一体化している。かつ、ダブルラッセル生地は前記のように２枚の地組織を連結糸で側面視台形状に連結して一枚のダブルラッセル生地でボリュームを保持できるようにし、かつ、該ダブルラッセルを不織布と積層一体化しているため、洗濯を繰り返す使用時においてボリュームの低下防止を図れると共に、肌へのフィット性を高めることができる。
【００３４】
また、前記のように、肌側の地組織１２に複数の開口部１６を設けているため、肌側は外側より曲がり易くなり乳房に沿わせやすくなると共に、肌側の通気性を高めることができ、肌側に生じる蒸れを効果的に抑制することができる。この際、前記のように、肌側の地組織１２に設ける開口部１６を不織布１７側に向けて縮径させることにより、開口部１６の外周に配置した第２種連結糸１５は開口部１６の内部に向けて傾斜するため、隣接する開口部１６Ａ、１６Ｂの外周に配置した第２種連結糸１５Ａ、１５Ｂは互いに逆方向へ傾斜し、前記逆方向に傾斜した第２種連結糸１５Ａ、１５Ｂとその間の両方の地組織１２、１３とで側面視台形を形成してボリューム感を持たせることができる。
【００３５】
以下、本発明の実施例および比較例について説明する。
[実施例１]
前記実施形態で作製したパッド１０の通気性試験を行った。通気性試験はＫＥＳ法によりＫＥＳ−Ｆ８−ＡＰ１通気性試験機（カトーテック株式会社製）を用いて、パッドの一部について通気性試験を行った。その結果を表１に示す。なお、表１の通気抵抗値が小さい程、高い通気性を有している。
【００３６】
[比較例１]
前記実施形態と同じ厚さ（１２ｍｍ）となるように不織布を２層としたパッドを作成し、該不織布パッドの通気性試験を行った。その結果も表１に併せて示す。
[比較例２]
厚さを１０ｍｍと薄くしたウレタン成形パッドの通気試験を行った。
【００３７】
【表１】
2010111955.tif 000003
【００３８】
表１から明らかなように、本発明のパッドは一般的に通気性の良い比較例１の不織布性パッドと同等以上の通気性を有することが確認できた。
また、厚さ１２ｍｍとした本発明の実施例１のパッドより、厚さを１０ｍｍと薄くした比較例２のウレタン成形パッドでは、通気抵抗は大きく、本発明はウレタン成形パッドと比較して通気性が高いことが確認できた。
【産業上の利用可能性】
【００３９】
本発明は前記実施形態に限定されるものではない。例えば、ブラ付きシャツなどのアウターウェア、ブラスリップ、ボディスーツなどのインナーウェア、レオタードや水着等のパッドにも適用することができる。さらに、カップ部に取り付けるパッド以外に、臀部上方をボリュームアップするためにボトム側にパッドを取り付ける場合等にも適用できる。
【図面の簡単な説明】
【００４０】
【図１】本実施形態におけるブラジャー用のパッドであり、（Ａ）は肌側から見た概略平面図であり、（Ｂ）はＡ−Ａ断面図である。
【図２】ダブルラッセル生地を示し、（Ａ）は肌側から見た概略斜視図、（Ｂ）は肌側の地組織の開口部および該開口部の外周に配置される第２種連結糸を示す概略図、（Ｃ）はダブルラッセル生地の概略側面図である。
【図３】ダブルラッセル生地と不織布、不織布と伸縮性生地を接着して積層体を形成する過程を示す概略図である。
【図４】積層体を示す概略斜視図である。
【図５】パッド形状に成型した状態を示す概略斜視図である。
【図６】ブラジャーのカップ布内面のパッド挿入部にパッドを挿入した状態を示す概略平面図である。
【図７】従来例を示す図である。
【図８】従来例を示す図である。
【図９】従来例を示す図である。
【符号の説明】
【００４１】
１０  パッド
１１  ダブルラッセル生地
１２  肌側の地組織
１３  不織布側の地組織
１４  第１種連結布
１５  第２種連結布
１６  開口部
１７  不織布
１８  伸縮性生地
１９  接着剤
２０  積層体
２１  当て布
３０  ブラジャー
３１  カップ布
３２  パッド挿入部
【図１】
2010111955.tif 000004
【図２】
2010111955.tif 000005
【図３】
2010111955.tif 000006
【図４】
2010111955.tif 000007
【図５】
2010111955.tif 000008
【図６】
2010111955.tif 000009
【図７】
2010111955.tif 000010
【図８】
2010111955.tif 000011
【図９】
2010111955.tif 000012